(57)【要約】【課題】収納空間内での漏水を早期に発見できるキッチン用キャビネットを提供する。【解決手段】実施形態に係るキッチン用キャビネットは、左側板、右側板、底板、背板、及び、内部を収納空間と前記収納空間から見て下部奥側に配置され左右に延びる配管を配設するための配管スペースとに仕切る仕切板を備え、上部にカウンター天板が載置されるキッチン用キャビネットにおいて、前記仕切板及び前記底板が、合成樹脂からなる一体品である。【選択図】図１
2014064786.tif 000002
【特許請求の範囲】
【請求項１】
左側板、右側板、底板、背板、及び、内部を収納空間と前記収納空間から見て下部奥側に配置され左右に延びる配管を配設するための配管スペースとに仕切る仕切板を備え、上部にカウンター天板が載置されるキッチン用キャビネットにおいて、
前記仕切板及び前記底板が、合成樹脂からなる一体品であるキッチン用キャビネット。
【請求項２】
前記一体品は一体的に成形されており、前記仕切板を前記底板に向けて折り曲げ可能とする折目が形成されている請求項１記載のキッチン用キャビネット。
【請求項３】
前記背板が前記一体品の一部である請求項１または２に記載のキッチン用キャビネット。
【請求項４】
前記底板は、奥側よりも手前側が低くなるように傾斜している請求項１〜３のいずれか１つに記載のキッチン用キャビネット。
【請求項５】
前記一体品が、前記左側板及び前記右側板に対して取り外し可能である請求項１〜４のいずれか１つに記載のキッチン用キャビネット。
【請求項６】
前記一体品の左右の端部が前記左側板又は前記右側板に沿うように上側又は手前側に折り曲げられており、前記端部には貫通孔が形成されており、前記左側板及び前記右側板における前記貫通孔に整合する領域にはブッシュ穴が形成されており、ブッシュが前記貫通孔を挿通し、前記ブッシュ穴に挿入されることにより、前記一体品が前記左側板及び前記右側板に対して固定される請求項１〜５のいずれか１つに記載のキッチン用キャビネット。
【発明の詳細な説明】
【技術分野】
【０００１】
本発明の態様は、一般的に、キッチン用キャビネットに関する。
【背景技術】
【０００２】
キッチン用キャビネットにおいては、底板、左右の側板及び背板が設けられ、その上にカウンター天板が載置されている。これらの部材によって囲まれる内部空間の下部奥側には、左右に延びる配管類を収納する配管スペースが設けられている。配管スペースからは、給水管及び配水管が直上に延び、カウンター天板に取り付けられた蛇口及び排水口にそれぞれ接続されている。また、内部空間における配管スペース以外の空間は、調理用品等を収納する収納空間とされている。
【０００３】
配管スペースと収納空間との間には、上述の底板、左右の側板及び背板（以下、総称して「外板材」ともいう）とは別体のコーナー部材が設けられており、配管スペースと収納空間とを区画している（特許文献１参照）。通常、これらの外板材及びコーナー部材は、合板、パーティクルボード、ＭＤＦ（medium density fiberboard：中密度繊維板）等の木部材によって形成されている。また、配管スペース内に収納された配管類を点検するために、コーナー部材の一部は外板材に対して着脱可能とされている（特許文献２参照）。
【０００４】
しかしながら、このようなキッチン用キャビネットにおいて、収納空間内の配管から漏水した場合、コーナー部材と底板との継ぎ目から床上に水が漏れてしまい、漏水の発見が遅れる場合がある。また、漏水により、木部材からなるコーナー部材及び底板等に水が浸み込み、これらの部材に膨れ、反り、腐食等の損傷が発生する場合がある。底板は、例えば接着を併用したダボ組み等の手段により側板に対して固定されているため、底板が損傷した場合でも、底板のみを交換することは困難である。また、漏水が床に到達して床が被水した場合、これを放置すると、においの原因となるだけでなく、床の汚染や腐食をも引き起こしかねない。このため、漏水に起因して、キッチン全体の交換や床の張替工事が必要となる場合があり、使用者にとっては極めて大きな負担となる。
【先行技術文献】
【特許文献】
【０００５】
【特許文献１】特開平１０−１２７３８１号公報
【特許文献２】特開２００９−２４７５１７号公報
【発明の概要】
【発明が解決しようとする課題】
【０００６】
本発明は、かかる課題の認識に基づいてなされたものであり、収納空間内での漏水を早期に発見できるキッチン用キャビネットを提供することを目的とする。
【課題を解決するための手段】
【０００７】
第１の発明は、左側板、右側板、底板、背板、及び、内部を収納空間と前記収納空間から見て下部奥側に配置され左右に延びる配管を配設するための配管スペースとに仕切る仕切板を備え、上部にカウンター天板が載置されるキッチン用キャビネットにおいて、前記仕切板及び前記底板が、合成樹脂からなる一体品であるキッチン用キャビネットである。
【０００８】
第１の発明によれば、仕切板及び底板が合成樹脂からなる一体品であるため、収納空間内で漏水が発生しても、水が仕切板と底板との継ぎ目から床に落ちることがない。これにより、水が底板上に溜まるかキッチン用キャビネットの手前側に流出し、使用者の目につきやすくなるため、漏水を早期に発見できる。また、床が被水することを防止できる。更に、仕切板及び底板が合成樹脂により形成されており、水を吸収しにくいため、水による膨れ、反り、腐食等の損傷が発生しにくい。更にまた、仕切板及び底板を合成樹脂からなる一体品で構成することにより、これらを別部品で構成する場合と比較して、部品点数が減ると共に、組立作業が簡略になり、キッチン用キャビネットのコストを低減できる。
【０００９】
第２の発明は、第１の発明において、前記一体品が一体的に成形されており、前記仕切板を前記底板に向けて折り曲げ可能とする折目が形成されているキッチン用キャビネットである。
【００１０】
第２の発明によれば、配管スペース内の配管を点検する際に、一体品を折目に沿って折り曲げることにより、仕切板を底板上で容易に折り畳むことができる。これにより、配管スペースが大きく開口し、点検者が配管スペース内の配管にアクセスすることが容易になるため、点検の作業性が向上する。また、仕切板及び底板を一体成形品によって形成することにより、水が床に落ちることをより確実に防止できると共に、仕切板と底板とを接合する工程が不要となるため、キッチン用キャビネットのコストが低下する。更に、一体品を折り畳むことにより、嵩張らずにコンパクトにした状態で運搬することが可能となるため、一体品の運搬の負荷が軽減される。
【００１１】
第３の発明は、第１または第２の発明において、前記背板が前記一体品の一部であるキッチン用キャビネットである。
【００１２】
第３の発明によれば、背板まで含めて一体品とすることにより、部品点数及び組立作業の工数をより一層低減し、キッチン用キャビネットのより一層の低コスト化を図ることができる。
【００１３】
第４の発明は、第１〜第３のいずれか１つの発明において、前記底板が、奥側よりも手前側が低くなるように傾斜しているキッチン用キャビネットである。
【００１４】
第４の発明によれば、収納空間内で漏水が発生した場合に、水が傾斜した底板を伝わって、底板上の手前側の部分に移動する。これにより、漏水をより早期に確実に発見することができる。
【００１５】
第５の発明は、第１〜第４のいずれか１つの発明において、前記一体品が、前記左側板及び前記右側板に対して取り外し可能であるキッチン用キャビネットである。
【００１６】
第５の発明によれば、仕切板及び底板を構成する一体品を、キッチン用キャビネットから取り外すことができ、また、一体品は合成樹脂により形成されているため、取り外した一体品を水洗いすることができる。これにより、キッチン用キャビネットを衛生的な状態に維持することが容易になる。
【００１７】
第６の発明は、第１〜第５のいずれか１つの発明において、前記一体品の左右の端部が前記左側板又は前記右側板に沿うように上側又は手前側に折り曲げられており、前記端部には貫通孔が形成されており、前記左側板及び前記右側板における前記貫通孔に整合する領域にはブッシュ穴が形成されており、ブッシュが前記貫通孔を挿通し、前記ブッシュ穴に挿入されることにより、前記一体品が前記左側板及び前記右側板に対して固定されるキッチン用キャビネットである。
【００１８】
第６の発明によれば、一体品の貫通孔を介して左側板及び右側板にブッシュを差し込むだけの簡単な作業で、一体品を左側板及び右側板に対して固定することができる。また、一体品の左右の端部を上側又は手前側に折り曲げることにより、収納空間内で漏水した水が一体品と左側板又は右側板との継ぎ目を介して床に落ちることを防止できる。
【発明の効果】
【００１９】
本発明によれば、収納空間内での漏水を早期に発見できるキッチン用キャビネットが提供される。
【図面の簡単な説明】
【００２０】
【図１】第１の実施形態に係るキッチン用キャビネットを例示する断面図である。
【図２】第１の実施形態に係るキッチン用キャビネットからカウンター天板を外した状態を例示する手前側から見た斜視図である。
【図３】第１の実施形態に係るキッチン用キャビネットからカウンター天板を外した状態を例示する奥側から見た斜視図である。
【図４】第１の実施形態に係るキッチン用キャビネットから引出及びカウンター天板を外した状態を例示する手前側から見た斜視図である。
【図５】第１の実施形態に係るキッチン用キャビネットから引出及びカウンター天板を外した状態を例示する断面図である。
【図６】第１の実施形態に係るキッチン用キャビネットのシート部材を例示する斜視図である。
【図７】第１の実施形態に係るキッチン用キャビネットにおける漏水の経路を例示する断面図である。
【図８】第１の実施形態に係るキッチン用キャビネットから引出を外した状態における点検時の状態を例示する断面図である。
【図９】第１の実施形態に係るキッチン用キャビネットからカウンター天板を外した状態における点検時の状態を例示する手前側から見た斜視図である。
【図１０】第１の実施形態に係るキッチン用キャビネットから引出及びカウンター天板を外した状態における点検時の状態を例示する断面図である。
【図１１】第２の実施形態に係るキッチン用キャビネットから引出及びカウンター天板を外した状態を例示する手前側から見た斜視図である。
【図１２】第３の実施形態に係るキッチン用キャビネットから引出及びカウンター天板を外した状態を例示する断面図である。
【発明を実施するための形態】
【００２１】
以下、図面を参照しつつ、本発明の実施形態について説明する。
先ず、第１の実施形態について説明する。
図１は、本実施形態に係るキッチン用キャビネットを例示する断面図であり、
図２は、本実施形態に係るキッチン用キャビネットからカウンター天板を外した状態を例示する手前側から見た斜視図であり、
図３は、本実施形態に係るキッチン用キャビネットからカウンター天板を外した状態を例示する奥側から見た斜視図であり、
図４は、本実施形態に係るキッチン用キャビネットから引出及びカウンター天板を外した状態を例示する手前側から見た斜視図であり、
図５は、本実施形態に係るキッチン用キャビネットから引出及びカウンター天板を外した状態を例示する断面図であり、
図６は、本実施形態に係るキッチン用キャビネットのシート部材を例示する斜視図である。
【００２２】
図１〜図５に示すように、本実施形態に係るキッチン用キャビネット（以下、単に「キャビネット」ともいう）１においては、垂直に起立した左側板１１、右側板１２、背板１３が設けられており、これらの外板材の上部にカウンター天板１４が載置されている。カウンター天板１４にはシンク１５が形成されており、シンク１５の上方には蛇口１６が取り付けられており、シンク１５の底部には排水口１７が設けられている。左側板１１、右側板１２、背板１３及びカウンター天板１４によって囲まれた略直方体形状の内部空間２０は、その下部奥側の部分が配管スペース２１となっており、それ以外の部分は収納空間２２となっている。なお、本明細書においては、キャビネット１から見て使用者が立つ側を「手前側」といい、その反対側を「奥側」という。
【００２３】
配管スペース２１においては、左右に延びる水平配管（図示せず）が配設される。水平配管には、分岐栓（図示せず）を介して２本の垂直配管１８が接続されている。垂直配管１８は、配管スペース２１から直上方向に延び、蛇口１６及び排水口１７にそれぞれ接続されている。水平配管及び垂直配管１８には、それぞれ、給水配管及び排水配管が含まれる。
【００２４】
収納空間２２の下部であって配管スペース２１よりも手前側には、引出２３が収納されている。引出２３は、調理用品等を収納するものであり、左側板１１及び右側板１２の各内面の下部に取り付けられた一対のレール（図示せず）に案内されて、手前側に引き出される。引出し２３の手前側には前板２５が設けられており、引出し２３が収納空間２２内に収納されているときは、前板２５はキッチン用キャビネット１の前板を構成する。前板２５の上方には、左側板１１及び右側板１２に対して固定された幕板２６が設けられている。
【００２５】
左側板１１と右側板１２との間には、左右方向に延びる横桟３１〜３６が設けられている。横桟３１〜３６の各両端部は左側板１１及び右側板１２に連結されている。横桟３１は幕板２６の裏側に配置されている。横桟３２及び３３は、収納空間２２の下端部の手前側にＬ字状に配置されており、キャビネット１の手前側の下端部に、使用者のつま先が入るスペースを形成している。横桟３４は収納空間２２の下方であって配管スペース２１に隣接する位置に配置されており、横桟３５は配管スペース２１の上部奥側に配置されており、横桟３６は背板１３の上部の内面側に配置されている。
【００２６】
そして、図６に示すように、キッチン用キャビネット１においては、シート部材４０が設けられている。シート部材４０は、１枚の合成樹脂シートが略長方形に打ち抜かれ、数ヶ所に折目が付けられて立体的に成形されたものであり、合成樹脂からなる一体成形品である。シート部材４０は、キッチン用キャビネット１の底板、及び、配管スペース２１と収納空間２２とを仕切る仕切板を構成している。
【００２７】
より具体的には、シート部材４０においては、底板部４１、垂直仕切板部４２及び水平仕切板部４３がこの順に一列に配列されており、底板部４１と垂直仕切板部４２との境界線は、上方から見て略直角に谷折りされた折目４４となっており、垂直仕切板部４２と水平仕切板部４３との境界線は、上方から見て略直角に山折りされた折目４５となっている。垂直仕切板部４２及び水平仕切板部４３により、Ｌ字状の仕切板部が構成されている。シート部材４０は、例えば、ポリプロピレン（ＰＰ）、ポリエチレンテレフタラート（ＰＥＴ）又はＡＢＳ樹脂からなり、厚さは例えば１ｍｍ以下、例えば０．７５ｍｍである。なお、シート部材４０の材料はこれには限定されず、耐水性、耐薬品性及び可撓性がある合成樹脂であればよい。この合成樹脂は、低コストな材料であることが好ましく、色は左側板１１及び右側板１２と同色であることが好ましく、耐暗所黄変性を有することがより好ましい。
【００２８】
底板部４１は、収納空間２２の下部において、ほぼ水平に配置されており、その手前側の部分は横桟３２上に乗り上げて保持されており、奥側の部分は横桟３４上に配置されている。より詳細には、底板部４１は、左右両端部よりも中央部が低く、奥側よりも手前側が低くなるように傾斜している。また、底板部４１の左右の端部４６は、左側板１１又は右側板１２に沿うように上側に折り曲げられており、この折り曲げられた端部４６が、左側板１１及び右側板１２に当接されている。
【００２９】
垂直仕切板部４２は、配管スペース２１の手前側であって配管スペース２１と収納空間２２との間に、ほぼ垂直に配置されている。垂直仕切板部４２の左右の端部４７は、左側板１１又は右側板１２に沿うように手前側に折り曲げられており、この折り曲げられた端部４７には、例えば２ヶ所の貫通孔４８が形成されている。
【００３０】
水平仕切板部４３は、配管スペース２１の上側であって配管スペース２１と収納空間２２との間に、ほぼ水平に配置されている。水平仕切板部４３の奥側の部分は、横桟３５上に配置されている。水平仕切板部４３は、奥側よりも手前側が低くなるように緩く傾斜していることが好ましく、左右両端よりも中央部が低くなるように緩く傾斜していることがより好ましい。水平仕切板部４３の左右の端部４９は、左側板１１又は右側板１２に沿うように上側に折り曲げられており、この折り曲げられた端部４９には、例えば２ヶ所の貫通孔５０が形成されている。また、水平仕切板部４３の奥側の端部５１は、背板１３に沿うように上側に折り曲げられている。更に、水平仕切板部４３における垂直配管１８が貫通する部分には、貫通孔５２が形成されている。水平仕切板部４３における貫通孔５２と奥側の端縁とを結ぶ直線に沿って、切込５３が形成されている。
【００３１】
一方、左側板１１及び右側板１２における貫通孔４８及び５０に整合する領域には、ブッシュ穴５４（図５参照）が形成されている。そして、ブッシュ５５が貫通孔４８又は５０を挿通し、ブッシュ穴５４に挿入されることにより、シート部材４０が左側板１１及び右側板１２に対して固定される。また、垂直配管１８における貫通孔５２内を挿通する部分の上方には、円板状のシーリングプレート５６（図１参照）が取り付けられている。
【００３２】
次に、上述の如く構成された本実施形態に係るキッチン用キャビネットの動作及び効果について説明する。
第１に、本実施形態に係るキッチン用キャビネット１においては、底板及び仕切板が合成樹脂からなるシート部材４０によって一体成形されているため、収納空間２２内で発生した漏水が床に漏出することを抑制でき、漏水を早期に発見することができる。
【００３３】
以下、この効果について詳細に説明する。
図７は、本実施形態に係るキッチン用キャビネットにおける漏水の経路を例示する断面図である。
なお、図７においては、図を見やすくするために、シート部材４０の端部４６，４７、４９及び５１は図示を省略されている。後述する図８〜図１０についても同様である。
【００３４】
図１及び図７に示すように、収納空間２２内において、蛇口１６、排水口１７若しくは垂直配管１８、又はこれらの継ぎ目において漏水が発生すると、漏れた水はシート部材４０上に直接落下するか、又は、図７に経路Ｗとして示すように、垂直配管１８の側面及びシーリングプレート５６の上面を伝わってシート部材４０の水平仕切板部４３上に落下する。このとき、シート部材４０は一体成形されているため、シート部材４０上に落ちた水は床には落ちにくく、底板部４１の傾斜によって手前側に流れ、底板部４１における手前側の部分上に溜まるか、底板部４１の手前側の端縁を越えてキャビネット１の手前側に流出する。底板部４１の手前側の部分上に溜まった水、及び、キャビネット１の手前側に流出した水は、使用者の目につきやすいため、使用者は漏水を早期に発見することができる。これにより、漏水に対する対策を速やかに実施することができ、被害の拡大を回避することができる。
【００３５】
また、漏水はシート部材４０によって止水されるため、床が被水しにくく、漏水によって床が損傷を受けることを抑制できる。
更に、シート部材４０は合成樹脂によって形成されているため、水を吸収しにくく、水による膨れ、反り及び腐食等の損傷が生じにくい。
更にまた、シート部材４０上に溜まった水は、布等で拭き取ればよく、汚水が溜まった場合でも、台所用洗剤等を用いてシート部材４０を清掃することができる。
【００３６】
更にまた、シート部材４０においては、底板部４１の左右の端部４６が上側に折り曲げられており、垂直仕切板部４２の左右の端部４７が手前側に折り曲げられており、水平仕切板部４３の左右の端部４９及び奥側の端部５１が上側に折り曲げられている。これにより、シート部材４０上に落下した水が、シート部材４０と左側板１１、右側板１２及び背板１３との間の隙間を介して床に落下することを防止でき、シート部材４０による止水をより確実にし、床の被水をより確実に防止できる。
【００３７】
第２に、本実施形態に係るキッチン用キャビネット１においては、シート部材４０を折り畳むことによって、配管スペース２１と収納空間２２とを連通させることができるため、配管スペース２１内の配管類の点検が容易である。
【００３８】
以下、この効果について詳細に説明する。
図８は、本実施形態に係るキッチン用キャビネットから引出を外した状態における点検時の状態を例示する断面図であり、
図９は、本実施形態に係るキッチン用キャビネットからカウンター天板を外した状態における点検時の状態を例示する手前側から見た斜視図であり、
図１０は、本実施形態に係るキッチン用キャビネットから引出及びカウンター天板を外した状態における点検時の状態を例示する断面図である。
【００３９】
図８〜図１０に示すように、本実施形態に係るキャビネット１においては、シート部材４０が可撓性を有しているため、手作業により容易に変形させ、また、元の形状に戻すことができる。このため、配管スペース２１内に配設された配管類を点検する際に、シート部材４０における垂直仕切板部４２及び水平仕切板部４３を底板部４１上に重ねるように折り畳むことにより、仕切板が除去される。この結果、点検者が配管スペース２１内の配管類を視認し、配管類に対して手又は工具を到達させることが容易になり、点検の作業性が向上する。なお、仮に、仕切板が底板と別体で設けられていると、点検の際に仕切板を床板から取り外し、且つ、点検作業の間、取り外した仕切板を置いておく保管スペースが必要となるが、本実施形態においては、仕切板を折り畳むだけでよく、また、保管スペースを必要としない。
【００４０】
また、シート部材４０には、折目４４及び４５が形成されているため、折り畳み及び復元が容易である。通常の状態では、折目４４は約９０度の角度で上方から見て谷折りされており、折目４５は約９０度の角度で上方から見て山折りされている。そして、点検時には、折目４４を１８０度近くまで谷折りすることにより、垂直仕切板部４２を底板部４１上に重ね、折目４５を１８０度近くまで山折りすることにより、水平仕切板部４３を垂直仕切板部４２上に重ね、シート部材４０をＺ字状に折り畳むことができる。また、折目４４及び４５の角度を約９０度に戻すことにより、シート部材４０を元の形状に戻すことができる。このように、折目４４及び４５を屈曲させることにより、シート部材４０を容易に折り畳んだり復元したりすることができ、また、折り畳んだ状態及び復元した状態における形状の安定性が高い。
【００４１】
更に、シート部材４０において、垂直仕切板部４２の左右の端部４７には貫通孔４８が形成されており、水平仕切板部４３の左右の端部４９には貫通孔５０が形成されており、左側板１１及び右側板１２における貫通孔４８及び５０に整合する領域には、ブッシュ穴５４が形成されている。そして、ブッシュ５５が貫通孔４８又は５０を挿通し、ブッシュ穴５４内に挿入されることにより、垂直仕切板部４２及び水平仕切板部４３を左側板１１及び右側板１２に対して固定している。これにより、配管の点検時には、ブッシュ５５をブッシュ穴５４から外すだけの簡単な作業で、垂直仕切板部４２及び水平仕切板部４３を左側板１１及び右側板１２から外し、折り畳むことができる。また、点検終了後は、ブッシュ５５を貫通孔４８又は５０を介してブッシュ穴５４に差し込むだけの簡単な作業により、シート部材４０を再び左側板１１及び右側板１２に対して固定することができる。これによっても、点検の作業性を高めることができる。
【００４２】
更にまた、シート部材４０は軟質であるため、キャビネット１の施工時及びシート部材４０を折り畳む際に、垂直配管１８を貫通孔５２内とシート部材４０の外部との間で相対的に移動させるための経路を、直線状の切込５３によって実現することができる。このため、止水性を損ねることが少ない。これに対して、仮に、仕切板を硬質の木部材によって形成すると、垂直配管１８の移動経路として、幅が垂直配管１８の直径よりも大きい例えばＵ字状の切欠を形成する必要があり、止水性が大きく低下してしまう。
【００４３】
第３に、本実施形態に係るキッチン用キャビネット１においては、底板及び仕切板がシート部材４０によって一体的に形成されているため、コストが低い。
具体的には、シート部材４０に底板及び仕切板の機能を兼ねさせることができるため、部品点数を減らすことができると共に、組立作業を簡略化することができる。
【００４４】
また、シート部材４０を、合成樹脂シートを打ち抜き、プレス等により成形加工することによって形成しているため、シート部材４０自体のコストも低い。仮に、底板及び仕切板を木部材によって形成しようとすると、回転のこぎりで木部材を加工する際にチッピングや化粧シートの欠けを生じやすいため、不良率を低減するために、のこぎりの刃の点検及び小まめな補修が必要となる。これに対して、合成樹脂シートを打ち抜く場合には、工具の点検及び補修の手間が少ない。また、複数枚の合成樹脂シートを重ねて一度に打ち抜くことにより、１枚当たりの加工時間を短縮できる。
【００４５】
更に、合成樹脂からなり一体成形されたシート部材４０は、元々耐水性が高いため、耐水性を付与するための加工、例えば、塗装処理及び縁張り処理等の加工が不要である。これによっても、シート部材４０のコストを抑えることができる。
【００４６】
更にまた、シート部材４０は、ブッシュ５５により左側板１１及び右側板１２に対して固定することができるため、左板材１１及び右板材１２について、ブッシュ穴５４の形成以外の加工が不要である。これによっても、キャビネット１のコストを低減できる。なお、仮に、底板及び仕切板をそれぞれ別の板材により形成すると、左側板及び右側板には、底板及び仕切板を固定するための溝を形成する必要がある。
【００４７】
更にまた、シート部材４０には折目４４及び４５が形成されているため、シート部材４をコンパクトに折り畳むことができる。このため、キャビネット１の組立前にシート部材４０を保管及び運搬する場合においても、シート部材４０が嵩張らず、保管コスト及び運搬コストを低減することができる。
更にまた、シート部材４０には予め折目４４及び４５が付けられているため、キャビネット１の組立作業が容易である。このため、組立コストも低い。
【００４８】
更にまた、シート部材４０は軟質な合成樹脂シートであるため、施工現場において追加の切断加工及び穴あけ加工を容易に行うことができる。例えば、垂直配管１８の位置に応じてシート部材４０に切込５３及び貫通孔５２を形成する際に、ホールソー、カッター又はハサミにより、これらの加工を容易に行うことができる。このように、キャビネット１は施工性も高く、これによっても、コストを低減することができる。
【００４９】
更にまた、キャビネット１は、底板及び仕切板が軟質なシート部材４０により構成されているため、キャビネット１の保管時及び運搬時に、ぶつけたり不用意に力をかけたりしても、底板及び仕切板が割れることがない。このため、保管及び運搬時における破損リスクが低く、これによっても、コストを削減することができる。
【００５０】
なお、シート部材４０は可撓性を有しているため、合板、パーティクルボード及びＭＤＦ等の木部材のような剛性はない。このため、シート部材４０の上に、調理用品及び調味料等の物品を置くことは困難である。しかしながら、キャビネット１においては、引出し２３が設けられているため、調理用品及び調味料等の物品はこの引出し２３内に収納することができ、シート部材４０上に置く必要はない。従って、シート部材４０は、漏水を遮るための止水材としての機能と、引出し２３を全開にしたときの目隠材としての機能と、配管スペース２１からの防臭性及び防虫性を担保する遮蔽材としての機能を有していればよく、剛性は不要である。
【００５１】
なお、引出し２３を設けず、開き扉を設け、シート部材４０の底板部４１上に物品を置くようにしてもよい。この場合は、底板部４１の下方に木製の枠組み等を設け、シート部材４０を支持するようにすればよい。これにより、シート部材４０に、折り畳むための可撓性と、物品を置くための剛性とを併せ持たせることができる。また、引出し２３の替わりに、食器洗浄機を配置してもよい。この場合、食器洗浄機の支持材は別に設けるため、シート部材４０に剛性を持たせる必要はない。
【００５２】
また、本実施形態においては、シート部材４０が一体成形品である例を示したが、これには限定されない。例えば、シート部材４０は、同じ合成樹脂シートからなる複数のパーツが相互に接合されて形成されていてもよい。この場合、パーツ同士は止水状態を保持できる程度に一体的に接合されていればよく、例えば、接着、溶着又は機械的手段によって接合されていてもよい。この場合も、シート部材４０は、全体として、合成樹脂からなる一体品であるといえる。
【００５３】
更に、本実施形態においては、ブッシュ５５によってシート部材４０の垂直仕切板部４２及び水平仕切板部４３を左側板１１及び右側板１２に対して固定する例を示したが、シート部材４０の固定方法はこれには限定されない。例えば、ピン又はマジックテープ（登録商標）により、シート部材４０を固定してもよい。
【００５４】
次に、第２の実施形態について説明する。
図１１は、本実施形態に係るキッチン用キャビネットから引出及びカウンター天板を外した状態を例示する手前側から見た斜視図である。
図１１に示すように、本実施形態に係るキッチン用キャビネット２においては、シート部材４０の底板部４１の左右の端部４６に、貫通孔５７が形成されている。また、左側板１１及び右側板１２における貫通孔５７に整合する領域には、ブッシュ穴（図示せず）が形成されている。そして、端部４６はブッシュ５５（図６参照）によって左側板１１及び右側板１２に対して固定され、左側板１１及び右側板１２に対して接着はされていない。これにより、本実施形態においては、底板部４１も含めたシート部材４０全体が、左側板１１及び右側板１２に対して取り外し可能とされている。
【００５５】
本実施形態によれば、シート部材４０をキャビネット２から取り外すことができるため、取り外したシート部材４０を水洗いすることができる。例えば、排水口１７又はこれに接続された垂直配管１８から汚水が漏れてシート部材４０上に溜まった場合のように、シート部材４０の汚れが特に著しい場合に、シート部材４０を取り外して丸洗いすることができる。このため、キッチン用キャビネット２の内部を衛生的な状態に維持することが、容易である。また、シート部材４０が劣化又は損傷した場合に、シート部材４０を新品と交換することもできる。本実施形態における上記以外の構成、動作及び効果は、前述の第１の実施形態と同様である。
【００５６】
次に、第３の実施形態について説明する。
図１２は、本実施形態に係るキッチン用キャビネットから引出及びカウンター天板を外した状態を例示する断面図である。
図１２に示すように、本実施形態に係るキッチン用キャビネット３は、前述の第１の実施形態に係るキッチン用キャビネット１（図５参照）と比較して、背板１３（図５参照）が設けられておらず、シート部材４０（図５参照）の替わりにシート部材６０が設けられている点が異なっている。シート部材６０は、キャビネット３の底板及び仕切板の他に、背板も兼ねている。
【００５７】
すなわち、シート部材６０においては、底板部４１、垂直仕切板部４２、水平仕切板部４３及び背板部６１がこの順に配列され、一体的に形成されている。背板部６１は収納空間２２の奥側にほぼ垂直に配置され、キャビネット３の背板を構成している。水平仕切板部４３と背板部６１との境界線は、上方から見て約９０度に谷折りされた折目６２となっている。また、背板部６１における左右の端部６３は手前側に折り曲げられており、端部６３には複数個の貫通孔６４が形成されている。また、左側板１１及び右側板１２における貫通孔６４に整合する領域には、ブッシュ穴（図示せず）が形成されている。そして、背板部６１は、ブッシュ５５によって、左側板１１及び右側板１２に対して固定されている。なお、背板部６１には、垂直配管１８を通過させるための切込が形成されていてもよい。
【００５８】
本実施形態によれば、キャビネットの底板及び仕切板の他に、背板もシート部材６０の一部として一体的に形成されているため、収納空間２２内で発生した漏水が、仕切板と背板との継ぎ目を介して床に落ちることを防止できる。また、キャビネットの部品点数をさらに減らし、より一層の低コスト化を図ることができる。更に、本実施形態に係るキャビネット３において、配管スペース２１内の配管類を点検する際には、垂直仕切板部４２、水平仕切板部４３及び背板部６１を左側板１１及び右側板１２から取り外し、底板部４１上に折り畳むことができる。本実施形態における上記以外の構成、動作及び効果は、前述の第１の実施形態と同様である。なお、本実施形態においても、前述の第２の実施形態と同様に、シート部材６０全体をキャビネット３から着脱可能としてもよい。
【００５９】
以上、実施形態を参照して本発明を説明したが、本発明はこれらの実施形態に限定されるものではない。例えば、前述の各実施形態を任意に組み合わせて実施してもよく、前述のいずれかの実施形態に対して、当業者が適宜、構成要素の追加、削除若しくは設計変更を行ったものも、本発明の要旨を備えている限り、本発明の範囲に含有される。
【符号の説明】
【００６０】
１、２、３：キッチン用キャビネット、１１：左側板、１２：右側板、１３：背板、１４：カウンター天板、１５：シンク、１６：蛇口、１７：排水口、１８：垂直配管、２０：内部空間、２１：配管スペース、２２：収納空間、２３：引出し、２５：前板、２６：幕板、３１、３２、３３、３４、３５、３６：横桟、４０：シート部材、４１：底板部、４２：垂直仕切板部、４３：水平仕切板部、４４、４５：折目、４６、４７：端部、４８：貫通孔、４９：端部、５０：貫通孔、５１：端部、５２：貫通孔、５３：切込、５４：ブッシュ穴、５５：ブッシュ、５６：シーリングプレート、５７：貫通孔、６０：シート部材、６１：背板部、６２：折目、６３：端部、６４：貫通孔、Ｗ：経路
【図１】
2014064786.tif 000003
【図２】
2014064786.tif 000004
【図３】
2014064786.tif 000005
【図４】
2014064786.tif 000006
【図５】
2014064786.tif 000007
【図６】
2014064786.tif 000008
【図７】
2014064786.tif 000009
【図８】
2014064786.tif 000010
【図９】
2014064786.tif 000011
【図１０】
2014064786.tif 000012
【図１１】
2014064786.tif 000013
【図１２】
2014064786.tif 000014